(57)【特許請求の範囲】
【請求項１】
支柱間に長尺の管状体からなるビームが架設されてなる防護柵において、支柱に固定されて上下の挟持部によりビームを上下から挟持固定させるビーム支持具と、そのビーム支持具の上部に覆せられるカバー材と、ビーム支持具とカバー材とを貫通してナットにより緊締固定されて、カバー材をビーム支持具に固定すると共にそれと同時にビームをビーム支持具に固定する固定ボルトとを備えたことを特徴とする防護柵のビーム支持構造。
【請求項２】
支柱間に長尺の管状体からなるビームが架設されてなる防護柵において、支柱に固定されてビームを支持するビーム支持具と、その上部から覆せられるカバー材と、カバー材の固定と同時にビームを固定させる固定ボルトとからなり、カバー材またはビーム支持具のいずれかの上面に固定ボルトのボルト径の寸法より大なる非円形状の係止孔が設けられるとともに、その係止孔は固定ボルトの首部に設けられた非円形断面のボルト係止部に対応した形状となされ、固定ボルトのボルト係止部が前記カバー材またはビーム支持具の係止孔に回転不能に挿通され、固定ボルトがビーム支持具とカバー材とを貫通してナットにより緊締固定され、さらに前記カバー材上部よりさらに合成樹脂製化粧カバーが覆せられ固定ボルトによって固定されることを特徴とする防護柵のビーム支持構造。
【請求項３】
カバー材、あるいは化粧カバーに反射体が付設されたことを特徴とする請求項１または２記載の防護柵のビーム支持構造。
【請求項４】
支柱間に長尺の管状体からなるビームが架設されてなる防護柵において、支柱に固定されてビームを支持するビーム支持具と、その上部から覆せられるカバー材と、カバー材の固定と同時にビームを固定させる固定ボルトとからなり、カバー材またはビーム支持具のいずれかの上面に固定ボルトのボルト径の寸法より大なる非円形状の係止孔が設けられるとともに、その係止孔は固定ボルトの首部に設けられた非円形断面のボルト係止部に対応した形状となされ、固定ボルトのボルト係止部が前記カバー材またはビーム支持具の係止孔に回転不能に挿通され、固定ボルトがビーム支持具とカバー材とを貫通してナットにより緊締固定され、さらに前記固定ボルトの頭部に反射体が付設されたことを特徴とする防護柵のビーム支持構造。
【発明の詳細な説明】
【０００１】
【発明の属する技術分野】
本発明は、歩車道境界などに設置される防護柵のビーム支持構造に関し、特に強固な固定でかつ景観上も美しい継手部分へのカバー材の固定構造に関するものである。
【０００２】
【従来の技術】
従来、防護柵のビーム継手構造としては実公平５−２６５５号公報、あるいは実用新案登録第２５９３２０２号公報等に記載されるように、支承金具を介し、あるいは偏平すり割り筒状金具を介し防護柵の支柱と管体( ビーム  ）とがボルトで固定されたものが開示されているが、いずれの場合も固定用のボルト頭部が露出して歩行者に対し危険でかつ景観上も良くないため、これらの問題点を解決するため本出願人は特開平９−２２８３３３号公報に示した如く、防護柵の支柱側壁に取り付けられた取付金具にビームを正面から固定したうえで、その取付金具にカバーを取り付ける防護柵の支柱とビームの取付構造を提案した。
【０００３】
もっとも、防護柵のビーム継手構造に関して美感にも配慮されたものとしては特開平７−２５９０３８号公報において、金属（一般に鋳物製）や合成樹脂製のブラケットによって締付けボルトの頭部を目立たせることなく固定させるという防護柵用継ぎ手が提案されている。
【０００４】
しかしながら、特開平９−２２８３３３号公報に示すカバーは取付金具に嵌合されて覆われているため車両の接触によって外れることもあり得る点が問題で、また特開平７−２５９０３８号公報に示すブラケットは金属（一般に鋳物製）や合成樹脂製のため車両の接触により破損した場合防護柵の支柱とビームの接続が外れたり、破片が飛散して二次災害の原因となり得る等の問題を有している。
【０００５】
【発明が解決しようとする課題】
そこで、防護柵のビーム支持構造において、景観に配慮したビーム支持具へのカバー材の固定構造を、取り付けが強固で容易に外れることなく、さらには支持機能だけでなく夜間には視認性向上という付加機能を備えたものとして、ボルト頭部を露出させない歩行者への安全配慮に加え、車両に対しても積極的な安全面の配慮がなされた防護柵のビーム支持構造を提供するものである。
【０００６】
【課題を解決するための手段】
すなわち本発明防護柵のビームの支持構造は、支柱間に長尺の管状体からなるビームが架設されてなる防護柵において、支柱に固定されて上下の挟持部によりビームを上下から挟持固定させるビーム支持具と、そのビーム支持具の上部に覆せられるカバー材と、ビーム支持具とカバー材とを貫通してナットにより緊締固定されて、カバー材をビーム支持具に固定すると共にそれと同時にビームをビーム支持具に固定する固定ボルトとを備えたことを特徴とするものである。
【０００７】
また本発明防護柵のビーム支持構造は、支柱間に長尺の管状体からなるビームが架設されてなる防護柵において、支柱に固定されてビームを支持するビーム支持具と、その上部から覆せられるカバー材と、カバー材の固定と同時にビームを固定させる固定ボルトとからなり、カバー材またはビーム支持具のいずれかの上面に固定ボルトのボルト径の寸法より大なる非円形状の係止孔が設けられるとともに、その係止孔は固定ボルトの首部に設けられた非円形断面のボルト係止部に対応した形状となされ、固定ボルトのボルト係止部が前記カバー材またはビーム支持具の係止孔に回転不能に挿通され、固定ボルトがビーム支持具とカバー材とを貫通してナットにより緊締固定され、さらに前記カバー材上部よりさらに合成樹脂製化粧カバーが覆せられ固定ボルトによって固定されるものである。
【０００８】
そしてまた本発明防護柵のビーム支持構造は、上記のカバー材、あるいは化粧カバーに反射体が付設されたものである。
【０００９】
さらにまた本発明防護柵のビーム支持構造は、支柱間に長尺の管状体からなるビームが架設されてなる防護柵において、支柱に固定されてビームを支持するビーム支持具と、その上部から覆せられるカバー材と、カバー材の固定と同時にビームを固定させる固定ボルトとからなり、カバー材またはビーム支持具のいずれかの上面に固定ボルトのボルト径の寸法より大なる非円形状の係止孔が設けられるとともに、その係止孔は固定ボルトの首部に設けられた非円形断面のボルト係止部に対応した形状となされ、固定ボルトのボルト係止部が前記カバー材またはビーム支持具の係止孔に回転不能に挿通され、固定ボルトがビーム支持具とカバー材とを貫通してナットにより緊締固定され、さらに前記固定ボルトの頭部に反射体が付設されたことを特徴とするものである。
【００１０】
【発明の実施の形態】
以下、図面に基づき本発明防護柵のビーム支持構造について詳述する。
図１は、適宜間隔に立設された複数の支柱１にビーム２を架設して構成された防護柵を示し、本実施形態の例においては図２に表す如く２つのタイプのビーム支持具３Ａ，３Ｂが使用されており、ビーム支持具３Ａは互いに隣接するビームの接続部においてビーム２，２それぞれのビーム端部に挿入固定される接続金具２１を介して接続されたビーム（本実施形態例では地上高さ６００ｍｍを中心として上下それぞれに１５０ｍｍの高さ位置に計３段）を支柱１の側壁に固定するようになされ、ビーム支持具３Ｂは長尺のビーム２をその中間部分で支持するとともに支柱１側壁に固定するようになされたものである。
なお、本実施の形態例において防護柵は、支柱１に１１４．３ｍｍφの鋼管製（厚さ４．５ｍｍ）、ビームとして４８．６ｍｍφの鋼管製（厚さ２．４ｍｍ，または３．２ｍｍ）のものによって構成され、いずれも防蝕性下地処理に耐候性塗装仕上げがなされ、またビーム支持具としては亜鉛メッキ処理の鋼板製プレス成形品（厚さ３．２ｍｍ）に耐候性塗装仕上げのものが用いられている。
【００１１】
なお、本実施の形態例ではビーム支持具３Ａを互いに隣接するビームの接続部において、またビーム支持具３Ｂを長尺ビームの中間部分において支持するものとして以下に説明するが、防護柵がこれらいずれか一種類のみのビーム支持具によって構成されても同様に本発明は適用されるものである。
【００１２】
本発明の第一実施形態例を示す図２において、ビーム外形の上下に挟持部３３が突設されてビームを上下から挟持固定させるビーム支持具３Ａ、またはビームの外形に対応させた支持部３４によってビームを下部から支持するビーム支持具３Ｂは、それぞれ挟持部３３，支持部３４から一体的に形成された固着部３１に開穿された固定孔３２を通し取付ボルト５０によって支柱１に固着され、これらビーム支持具３Ａ，３Ｂに兼用でその上部から覆せられるカバー材４が、ビーム支持具３Ａ，３Ｂの幅方向両端に左右一対の側端部４２，４３を外嵌させて取り付けられており、カバー材４の上面部４１には固定ボルト５の首部に設けられた非円形断面のボルト係止部５２が嵌まり込むように対応して係止孔４０が設けられ、係止孔４０に挿通された固定ボルト５がビーム支持具３（およびビーム２，接続金具２１）に設けられた連結孔２０，３０を貫通してナットにより緊締固定する構成となされ、固定ボルト５を用いてビーム２をビーム支持具３に固定させるのと同時にカバー材４の固定をさせるものである。
なお、カバー材４の材質としては本実施形態例では亜鉛メッキ処理下地の鋼板（厚さ１．６ｍｍ）によるプレス成形品に耐候性塗装仕上げされたものであるが、その他金属製鋳造品や合成樹脂製インジェクション成型品等が適用される。
【００１３】
本実施形態例において、カバー材４の一対の側端部４２，４３によって支柱１とビーム２との間に生じる隙間をカバーして外観の優れた支柱とビームの接続部が構成されるとともに、図２（ｂ）に表すようにカバー材４の係止孔４０の周辺に固定ボルト５のボルト頭部５１が納まる凹部４４が形成された場合にはボルト頭部が突出することもなく人が触れた際に引っ掛かったりせず安全であり、かつ外観上ボルト頭部５１がまったく露出しない優れたものとなる。さらに、カバー材４は固定ボルト５により強固に固定されているので容易に外れることはなく、またカバー材４の材料が鋼板を用いたプレス成形によって製作された場合には、万が一の車両接触等事故によってもカバー材そのものが破損して割れて飛散して例えばそれに二輪車等が乗り上げて転倒するなどの二次災害の原因となるようなことがなく安全である。
【００１４】
そして、このカバー材４がビーム支持具３Ａ，３Ｂの幅方向の両端にまたがる左右一対の側端部４２，４３によって係止孔４０を軸芯として回転不可能に外嵌され、かつカバー材４の上面部４１の係止孔４０が固定ボルト５の首部に設けられた非円形断面のボルト係止部５２が嵌まり込むように対応した形状となされて固定ボルト５が回転不可能に挿通されるため、本発明のビーム支持構造の組み立ての際には固定ボルト５の頭部をドライバーやスパナ等工具で押さえることなく下部からナットを締め付けるだけで緊締固定されるため、施工性がきわめて優れている。
【００１５】
続いて図３〜５によって、本発明の第二実施形態例について説明する。
図３は、本発明の第二実施形態例の部材構成を示す分解斜視図であり、
図４は第二実施形態例の組立後を表す、（ａ−１），（ａ−２）はビーム支持具３Ａを用いた場合、（ｂ−１），（ｂ−２）はビーム支持具３Ｂを用いた場合のそれぞれの正面図，側面図を表し、
図５は図４（ａ−２）のＡ−Ａ部の要部の組立構成を示す断面図である。
【００１６】
本発明の第二実施形態例は、上述したカバー材４の上部よりさらに合成樹脂製化粧カバー６が覆せられ固定ボルト５によって固定されたものであり、上述したカバー材４の上面からビーム支持具３Ａ，３Ｂの連結孔３０およびカバー材４の係止孔４０と同軸を芯とする連結孔６０が設けられた化粧カバー６が、前記ビーム支持具３Ａ，３Ｂにカバー材４を固定する際に同時に固定される構成となされたものである。
【００１７】
また本発明の第二実施形態例では、化粧カバー６の左右の両側面に反射体７が付設されてこの防護柵の夜間の視認性が高められたものである。
反射体７は、化粧カバー６左右側面に形成された凹部６１（本例では溝状）に嵌め込まれる等して用いられ、基板の前面に空気層を介してポリカーボネートやアクリル等透明プラスチックからなる多数の三角錐状突起を形成したレンズ体を配設させて作製されたプリズムタイプの反射体、あるいは図５中に示したようにベースにＡＢＳやゴム製等の樹脂製基体７１を用いて底面に鏡面処理がなされた再帰反射性を有するガラスビーズ製反射器７２が多数個半埋設されたもの等が、従来の反射テープより反射性能，耐久性に優れていて好適である。
本実施の形態例では溝状の凹部６１は、反射効果を高めるため図３中に示したように、防護柵のビーム通り芯方向より５〜１５°ばかり角度をもって到達する車両等の前照灯からの入射光Ｘに対向させて配置されている。
【００１８】
さらに本実施の形態例では、図５に表すように固定ボルト５のボルト頭部５１とボルト係止部５２との間には、ボルト頭部より小径かつボルト係止部の断面積よりも大なる断面積を有するボルト首下段差部５３が形成されて、ボルト頭部とカバー材４の上面部４１との隙間部分に化粧カバー６の連結孔周縁部６２が入り込むようにしてこの化粧カバー６が係止されている。
ここで、ボルト頭部５１とカバー材４の上面部４１との間に形成される隙間部の寸法ｈ1 に対し化粧カバー６の連結孔周縁部６２の寸法ｈ2 は同寸法か僅かに小さい寸法となされ、固定ボルト５を強力に緊締固定した際の力は図中の太矢印に示すように鋼板製のカバー材４の係止孔４０周縁部に伝わって化粧カバー６の連結孔周縁部６２には及ばず、被着体である化粧カバー６には全く力をかけずに被着体を止着させることができる。したがって、防護柵の組み立て時や設置後に受ける振動等のストレス（力）による負荷を樹脂製化粧カバーに与えることなく防護柵のビーム支持構造が構成され、前記したストレス（力）の負荷による樹脂製化粧カバーの割れ等の破損を避けることができる。
【００１９】
なお、上述した本発明の実施形態の例においてカバー材またはビーム支持具のいずれかの上面に設けられる非円形状の係止孔、および固定ボルトの首部に設けられるボルト係止部の非円形断面のそれぞれを四角形とした例で説明してきたが、形状を限定するものではなく係止孔に対しボルト係止部が嵌め込まれた状態で固定ボルトが回転不能に挿通されるものであればよく、また係止孔と固定ボルトのボルト係止部の断面形は必ずしも同じ形状のものでなくてもよい。
【００２０】
以下、さらに続いて本発明のその他の実施形態例について説明する。
図６，７は本発明の第三実施形態例で、図６に部材構成を示す分解斜視図を、図７に組立後を表す（ａ）：斜視図、および（ｂ）：その取付固定部分の断面図のそれぞれを示している。
また、図８には本発明の第三実施形態例の化粧カバーの他の実施形態の例を、図９には前述の図２に示した第一実施形態例の固定ボルトの他の実施形態の例をそれぞれ示している。
【００２１】
本発明の第三実施形態例においては、支柱１に取り付けられるビーム支持具３を介して２本のビーム２，２が固定ボルト５，５によって接続されるとともに、これら固定ボルトにより化粧カバー６も同時に固定される構成を表している。
ここにおいて、化粧カバー６は前述の本発明の第二実施形態例の場合と同様に、図７（ｂ）に表す如く固定ボルト５のボルト頭部５１とボルト係止部５２との間にボルト頭部より小径かつボルト係止部の断面積よりも大なる断面積を有するボルト首下段差部５３が形成され、ボルト頭部５１とビーム支持具３の上面部分との隙間部分に化粧カバー６の連結孔周縁部６２が入り込むように化粧カバー６が係止されている。また、本発明の第三実施形態例においてビーム支持具３の上面に開穿された連結孔は非円形の係止孔３５となされ、第二実施形態例の場合に詳述したのと同じく、固定ボルト５を緊締固定した際にその力は化粧カバー６の連結孔周縁部６２に及ぶことなくビーム支持具３の係止孔３５周縁部にかかり、被着体である化粧カバー６が防護柵の組み立て時や設置後に受ける振動等のストレス（力）からの負荷を全く受けることなく、ストレス（力）の負荷による樹脂製化粧カバーの割れ等の破損を避けることができる。
【００２２】
なお、本発明の第三実施形態例においては図７（ｂ）に示す如く固定ボルト５のボルト頭部５１と同様にナット固定部分５４についても化粧カバー６の下側の取付孔６３内に収納されて、この化粧カバー６の上下から固定ボルト５のボルト頭部５１やナット固定部分５４が露出しないので、たとえ人が接触しても安全で外観上も突出がなくて美しい収まりとなっている。
【００２３】
また、図８は上記本発明第三実施形態の展開例として、化粧カバー６の一部に反射体下地用の突出部６４が形成されそれに反射体７が付設されたものである。この反射体が付設された化粧カバー６´は、上述したように防護柵の組み立て時や設置後に受ける振動等のストレス（力）の負荷を全く受けない構成となされ、反射体そのもののストレス（力）の負荷による割れ等による破損の心配がなく、かつ防護柵に反射体をわざわざ別途取り付ける手間が要らないため施工性に優れ、外観上も反射体が防護柵の基本構成部材に組み込みまれて余分な取付部分等が現れず美観に優れ、機能的には夜間における視認性が向上して安全である。
【００２４】
続いてまた、図９は図２に示す第一実施形態例の固定ボルトの応用例として、固定ボルト５の頭部に反射体７が付設されたもので、この固定ボルト５の係止部５２はカバー材４に形成された係止孔４０に嵌め込まれて前述した如くボルトの締め付け固定時の作業性が良いという利点のみならず、反射体７の向きが所定の設定どおりに固定されて設置固定の角度調整手間が不要で取り付けに熟練を必要とせずに均質かつ迅速な工事がなされ、ヘッドライト等からの入射光に正確に対向させて設置がなされ夜間における良好な視認性を確保できる。
【００２５】
【発明の効果】
以上詳述したように、本発明防護柵のビーム支持構造は支柱間に長尺の管状体からなるビームが架設されてなる防護柵において、支柱に固定されて上下の挟持部によりビームを上下から挟持固定させるビーム支持具と、そのビーム支持具の上部に覆せられるカバー材と、ビーム支持具とカバー材とを貫通してナットにより緊締固定されて、カバー材をビーム支持具に固定すると共にそれと同時にビームをビーム支持具に固定する固定ボルトとを備えたことを特徴とするものであり、そして、カバー材またはビーム支持具のいずれかの上面に固定ボルトのボルト径の寸法より大なる非円形状の係止孔が設けられるとともに、その係止孔は固定ボルトの首部に設けられた非円形断面のボルト係止部に対応した形状となされて、固定ボルトのボルト係止部がカバー材またはビーム支持具の係止孔に回転不能に挿通され、固定ボルトがビーム支持具とカバー材とを貫通してナットによって緊締固定されれば、固定用のボルト頭部や固定用のナットが露出することなく歩行者に対して安全で景観上も優れたものとなり、またカバー材の取付けはビームを固定の際に同時になされるため、取り付けが強固で容易に外れることのないカバー材が付設され、万が一の車両等の接触によっても破損して飛散し二次災害を招くような危険がない。
【００２６】
また、固定ボルトのボルト係止部が前記カバー材またはビーム支持具の係止孔に回転不能に挿通されて組み立て施工がなされれば、この固定ボルトにナットによる緊締固定の際に固定ボルトが回転することなく、組み立ての際に固定ボルト５の頭部をドライバーやスパナ等工具で押さえることなくナットを締め付けるだけで緊締固定がなされるため、きわめて優れた施工性となる。
【００２７】
そしてまた、カバー材上部よりさらに合成樹脂製の化粧カバーが覆せられ固定ボルトによって固定される場合には、合成樹脂製の特性を生かして形状が自在にできて機能の付加や多様な仕上げが可能で、かつ部材自体のコストが低くでき、機能の付加として化粧カバーに反射体が付設された場合にはヘッドライト等からの入射光の向きに正確に対向して設計するのが容易となって高い反射率が得られるため防護柵の夜間の視認性の向上がなされる。
【００２８】
さらにまた、固定ボルトの頭部に反射体が付設された場合にも本発明防護柵のビーム支持構造においては、固定ボルトを回転させることなく組み立て施工がなされるため、前述した施工時の高い作業性という利点のみならず、反射体の向きが所定の設定どおりに固定されて設置固定の角度調整手間が不要で熟練を必要とせずに均質かつ迅速な工事がなされ、ヘッドライト等からの入射光に正確に対向させて設置がなされて夜間における高い反射率の優れた視認性を確保できる。
【図面の簡単な説明】
【図１】本発明実施の形態を説明するための、防護柵の正面図，側面図である。
【図２】本発明の第一実施形態例を表す（ａ）：斜視図，（ｂ）：側断面図である。
【図３】本発明の第二実施形態例を表す部材構成を示す分解斜視図である。
【図４】本発明の第二実施形態例を表す正面図，側面図である。
【図５】本発明の第二実施形態例を説明する要部の組立構成を示す断面図である。
【図６】本発明の第三実施形態例の分解構成を表す斜視図である。
【図７】本発明の第三実施形態例の組立構成状態を示す（ａ）：外観の斜視図，および（ｂ）：側断面図である。
【図８】本発明の第三実施形態例に係る他の実施形態例を示す（ａ）：外観の斜視図，および（ｂ）：側断面図である。
【図９】本発明の第二実施形態例に係る他の実施形態例を示す（ａ）：外観の斜視図，および（ｂ）：側断面図である。
【符号の説明】
１    支柱
２    ビーム
２０  連結孔
２１  接続金具
３    ビーム支持具
３Ａ  ビーム支持具３Ａ
３Ｂ  ビーム支持具３Ｂ
３０  連結孔
３１  固着部
３２  固定孔
３３  挟持部
３４  支持部
３５  係止孔
４    カバー材
４０  係止孔
４１  上面部
４２  側端部
４３  側端部
４４  凹部
５    固定ボルト
５１  ボルト頭部
５２  ボルト係止部
５３  ボルト首下段差部
６    化粧カバー
６０  連結孔
６１  凹部
６２  連結孔周縁部
７    反射体
７１  基体
７２  ガラスビーズ製反射器
Ｘ    入射光
【図１】
0003818419.tif 000002
【図２】
0003818419.tif 000003
【図３】
0003818419.tif 000004
【図４】
0003818419.tif 000005
【図５】
0003818419.tif 000006
【図６】
0003818419.tif 000007
【図７】
0003818419.tif 000008
【図８】
0003818419.tif 000009
【図９】
0003818419.tif 000010